(57)【要約】【課題】新たにシートパッド全体を作成しなくともシートの立体的形状が変更可能な車両用シートを提供すること。【解決手段】シートパッド１０およびこのシートパッド１０を覆うシートカバー２０を備える車両用シート１（２）であって、前記シートパッド１０は、本体パッド１１およびこの本体パッド１１に対して位置決め固定された部分パッド１２（１３）を有する車両用シート１（２）とした。かかる構成のより好ましい例として、前記部分パッド１２（１３）が、前記本体パッド１１よりも高硬度であることが挙げられる。【選択図】図４
2012187254.tif 000002
【特許請求の範囲】
【請求項１】
シートパッドおよびこのシートパッドを覆うシートカバーを備える車両用シートであって、
前記シートパッドは、本体パッドおよびこの本体パッドに対して位置決め固定された部分パッドを有することを特徴とする車両用シート。
【請求項２】
前記部分パッドは、前記本体パッドよりも硬度が高く、かつ、前記シートパッドの屈曲部分に沿って設けられていることを特徴とする請求項１に記載の車両用シート。
【請求項３】
前記部分パッドは、前記本体パッドよりも硬度が高く、かつ、前記シートカバーが接続される被接続部を有することを特徴とする請求項１に記載の車両用シート。
【発明の詳細な説明】
【技術分野】
【０００１】
本発明は、シートの立体的形状が容易に変更可能である車両用シートに関する。
【背景技術】
【０００２】
例えば下記特許文献１に記載されるような車両用シートは、シートカバーに覆われるクッション材であるシートパッドを備える。このシートパッドの形状を変化させれば、車両用シート全体の立体的形状（意匠）が変化する。
【先行技術文献】
【特許文献】
【０００３】
【特許文献１】特開２００８−２９５６９０号公報
【発明の概要】
【発明が解決しようとする課題】
【０００４】
通常、異なる立体的形状の車両シートを得るためには、異なる立体的形状のシートパッドを用意する必要がある。すなわち、シートパッド全体を変更する必要がある。したがって、例えば一部分が異なるだけの類似形状の車両用シートを得る場合であっても、それぞれの車両用シートに用いる異なるシートパッド全体を作成しなければならず、製造コスト増大（金型コストやパッド管理コストの増大）の要因となっていた。
【０００５】
上記実情に鑑み、本発明が解決しようとする課題は、新たにシートパッド全体を作成しなくともシートの立体的形状が変更可能な車両用シートを提供することにある。
【課題を解決するための手段】
【０００６】
上記課題を解決するために本発明にかかる車両用シートは、シートパッドおよびこのシートパッドを覆うシートカバーを備える車両用シートであって、前記シートパッドは、本体パッドおよびこの本体パッドに対して位置決め固定された部分パッドを有することを要旨とする。
【０００７】
本発明にかかる車両用シートでは、シートパッドは、「本体パッド」と「部分パッド」とを有し、これらの形状によってシート全体の形状が決まる。このうち、部分パッドは、本体パッドに対して所定位置に位置決め固定される部分であり、容易に形状を変更できる。すなわち、シートパッドの一部を構成する部分パッドを変更するだけで、シートパッド全体を変更しなくとも、異なる立体的形状（意匠）の車両用シートが得られる。その結果、金型コストの削減、パッド種類減少による管理コスト削減等のコストダウンにつながる。
【０００８】
また、前記部分パッドは、前記本体パッドよりも硬度が高く、かつ、前記シートパッドの屈曲部分に沿って設けられていればよい。
【０００９】
シートパッドを覆うように取り付けられるシートカバーは、シートパッドの屈曲部分で伸張する。つまり、シートパッドの屈曲部分は、シートカバーのテンションによる大きな負荷が掛かる部分である。そのため、かかるシートパッドの屈曲部分に比較的高硬度の部分パッドを設けることにより、上記シートカバーのテンションによってシートパッドが型崩れしてしまうこと等を防止することができる。また、本体パッドと部分パッドは別体であるため、部分パッドの硬度に拘わらず本体パッドは適当な硬度に形成できる。つまり、上記効果を得るために部分パッドを高硬度としても、車両用シート全体としての乗り心地の低下を招くといったこともない。
【００１０】
また、前記部分パッドは、前記本体パッドよりも硬度が高く、かつ、前記シートカバーが接続される被接続部を有するものであればよい。
【００１１】
このように、部分パッドにシートカバーが接続される被接続部を設ければ、比較的高硬度である部分にシートカバーが接続されるため、シートカバーの位置ずれや、被接続部に引き込まれたシートカバーのテンションによるシートパッドの型崩れ等が防止される。また、本体パッドと部分パッドは別体であるため、部分パッドの硬度に拘わらず本体パッドは適当な硬度に形成できる。つまり、上記効果を得るために部分パッドを高硬度としても、車両用シートとしての乗り心地の低下を招くことはない。
【発明の効果】
【００１２】
本発明によれば、シートカバーの内側に取り付けられる部分パッドを変更するだけで、異なる立体的形状（意匠）の車両用シートが得られる。つまり、シートパッド全体を変更しなくとも、車両用シートの立体的形状を変更することができる。
【図面の簡単な説明】
【００１３】
【図１】本発明の一実施形態にかかる車両用シートの外観図である。
【図２】本発明の一実施形態にかかる車両用シートを分解して示した図である。
【図３】シートパッド（本体パッドおよび部分パッド）の外観図である。
【図４】本発明の一実施形態にかかる車両用シートを上下方向に沿った平面で切断した断面図である。
【図５】本発明の一実施形態にかかる車両用シートを幅方向に沿った平面で切断した断面図である。
【図６】変形例にかかる車両用シートを上下方向に沿った平面で切断した断面図である。
【図７】本体パッドおよび部分パッドの形状を設定する手法を説明するための概念図であり、二種類の類似する車両用シート（シートパッド）を例として示した図である。
【発明を実施するための形態】
【００１４】
以下、本発明の実施形態にかかる車両用シート１について図面を参照しつつ詳細に説明する。なお、以下の説明において、上下方向とは車両用シート１の上下方向（図中のＺ方向）をいい、前後方向とは車両用シート１の前後方向であって上下方向及び幅方向に直交する方向（図中のＹ方向）をいい、幅方向とは車両用シート１の幅方向（図中のＸ方向）をいう。
【００１５】
（全体構成）
まず、本発明の一実施形態にかかる車両用シート１の全体構成について説明する。図１〜図５に示す車両用シート１は、着座する者の背もたれとなるシートバック部分であり、シートパッド１０と、このシートパッド１０を覆うシートカバー２０と、を備える。シートパッド１０は、シートのクッション材となる部分であり、シートカバー２０は、シートクッションを覆う車両用シート１の外表面を構成する部材である。
【００１６】
シートパッド１０は、本体パッド１１および部分パッド１２を有する。本体パッド１１は、シートパッド１０の大部分を構成するパッド本体部である。一方、部分パッド１２は、本体パッド１１に対して所定位置に位置決め固定される部分である。本実施形態では、部分パッド１２は、シートパッド１０の前面上側の両側部分（車両用シート１に着座する者の肩近傍を支持する部分）や、後面上側に沿った部分（屈曲部分）を構成する。詳細は後述するが、シートパッド１０から本体パッド１１を除いた形状は、部分パッド１２の形状と略一致する。
【００１７】
シートカバー２０は、シートパッド１０の少なくとも前面側を覆うカバー部材である。かかるシートカバー２０をシートパッド１０に取り付けることにより、所定の立体的形状（本体パッド１１および部分パッド１２から構成される立体的形状）を有する車両用シート１が得られる。つまり、本体パッド１１の形状が同じでも、部分パッド１２の形状を変更すれば、異なる立体的形状を有する車両用シート１が得られる。
【００１８】
（各構成部材の詳細）
シートパッド１０の詳細について説明する。本体パッド１１は、複数種の車両用シート１に共通して用いられるものである。かかる点を図７の概念図を参照して説明する。例えば、要求される立体的形状が図７（ａ）に示されるような形状である車両用シート１ａ（シートパッド１０ａ）と車両用シート１ｂ（シートパッド１０ｂ）があるとする。この二つの車両用シート１ａ、１ｂに本発明を適用する場合、車両用シート１ａのシートパッド１０ａと車両用シート１ｂのシートパッド１０ｂの共通部分（重なる部分）の少なくとも一部を構成する部分を両シート共通の本体パッド１１として設定しなければならない。図７（ｂ）において実線で示した部分で示した部分が共通部分Ｃであり、例えばこの共通部分Ｃの一部を構成する図７（ｂ）において一点鎖線で示した部分Ｃｓが、図７（ｃ）に示すように各車両用シート１ａ、１ｂの本体パッド１１として設定される。
【００１９】
部分パッド１２は、シートパッド１０ａ、１０ｂ全体の形状から、設定された本体パッド１１の部分を除いた部分となる。車両用シート１ａのシートパッド１０ａから本体パッド１１を除いた部分が車両用シート１ａの部分パッド１２ａとなり、車両用シート１ｂのシートパッド１０ｂから本体パッド１１を除いた部分が車両用シート１ｂの部分パッド１２ｂとなる。つまり、本体パッド１１は、両シート共通の部材であるが、部分パッド１２ａ、１２ｂは、両シートで異なる部材となる。かかる説明では、例として二つの車両用シート１ａ、１ｂを挙げたが、シートパッド１０の大部分が共通する三種以上の車両用シート１であっても、共通部分の少なくとも一部を構成する部分を本体パッド１１に設定し、各車両用シート１のシートパッド１０全体から本体パッド１１を除いた部分を部分パッド１２として設定すればよい。すなわち、本体パッド１１は全ての車両用シート１に共通する部材となり、部分パッド１２は各車両用シート１独自の部材となる。
【００２０】
この部分パッド１２は、本体パッド１１に対して所定位置に位置決めされて固定（例えば接着固定）される。その位置決め方法は特に限定されるものではない。例えば、本体パッド１１および部分パッド１２の一方に二以上の凹部を、他方に二以上の凸部を形成し、これら凹凸の係合によって部分パッド１２が本体パッド１１に対して所定位置に位置決め固定される構成とすればよい。本実施形態では、このように本体パッド１１に固定される部分パッド１２は、本体パッド１１よりも硬度が高い。つまり、シートパッド１０全体で見れば、シートパッド１０の前面上側の両側や後面上側に沿った部分が、その他の部分よりも硬度が高い。
【００２１】
また、部分パッド１２は、各車両用シート１のシートパッド１０全体の共通部分の「少なくとも一部」を構成すればよい（もちろん共通部分全体をそのまま本体パッド１１と設定してもよい）のであるから、部分パッド１２の形状の設定にはある程度の自由度がある。したがって、部分パッド１２は、本体パッド１１に対して位置ずれしにくい形状に設定することができる。例えば、図４に示すように、上下方向（Ｚ方向）で本体パッド１１の少なくとも一部と部分パッド１２の少なくとも一部が重なるように（本体パッド１１の上に部分パッド１２が乗るように）設定すれば、上下方向に部分パッド１２が位置ずれしにくくなる。また、図４および図５に示すように、前後方向（Ｙ方向）で幅方向で本体パッド１１の少なくとも一部と部分パッド１２の少なくとも一部が重なるように設定すれば、前後方向に部分パッド１２が位置ずれしにくくなる。また、図５に示すように、幅方向（Ｘ方向）で本体パッド１１の少なくとも一部と部分パッド１２の少なくとも一部が重なるように設定すれば、幅方向に部分パッド１２が位置ずれしにくくなる。そして、このように上下方向、前後方向、幅方向の全て（Ｚ、Ｙ、Ｘ方向の全て）において本体パッド１１の少なくとも一部と部分パッド１２の少なくとも一部が重なるように設定されていれば、部分パッド１２が本体パッド１１に対して全ての方向で位置決めされるため、優れた位置ずれ防止効果を発揮する。
【００２２】
さらに、本実施形態では、本体パッド１１にはその幅方向両側から前方に突出する突出部１１１が形成されている。本体パッド１１にこのような突出部１１１が形成される場合、部分パッド１２には突出部１１１を挟む挟持部１２１が形成されていればよい。図５に示すように、幅方向に沿った平面で切断した断面で見ると、挟持部１２１は二股状に突出した形状（略「Ｖ」字形状）に形成されている。この二股状に突出した部分の間に本体パッド１１の突出部１１１が挟まれる。したがって、幅方向において部分パッド１２が本体パッド１１に対して位置ずれしにくくなる。なお、本体パッド１１に形成された突出部１１１は、シートに着座する者の両側を支持するいわゆるサイドサポート部１１２がそのまま上方に延びた部分である。このように、サイドサポート部１１２などの車両用シート１特有の形状を利用しつつ本体パッド１１に突出部１１１を形成すれば、突出部１１１を形成することによる本体パッド１１形状の複雑化（本体パッド１１を成形する金型の複雑化等）を招くことはない。
【００２３】
シートカバー２０は、このようにして構成されるシートパッド１０を覆う。具体的には、シートパッド１０に設けられた被接続部３０に接続されることにより、シートパッド１０に取り付けられる。被接続部３０を構成する部材としては、公知のモールドインファスナ（パッドと一体成形される面ファスナ）や、インサートワイヤ等が例示できる。例えば、本実施形態では、本体パッド１１の後面における、部分パッド１２の下方および幅方向中央寄り位置に溝部１１ａが形成され、この溝部１１ａの底面に被接続部３０であるモールドインファスナが設けられている。つまり、溝部１１ａがシートカバー２０の引き込み部分となる。具体的には、シートカバー２０の縫製部分２１は、溝部１１ａに引き込まれてモールドインファスナに接続される。したがって、シートカバー２０が取り付けられると、当該溝部１１ａに引き込まれたシートカバー２０のテンションによる大きな負荷が、溝部１１ａの上方および幅方向外側に位置する部分パッド１２に掛かる。
【００２４】
（本実施形態の作用効果）
以上説明した本実施形態にかかる車両用シート１によれば、次のような作用効果が奏される。
【００２５】
本発明にかかる車両用シート１では、シートパッド１０は、複数の車両用シート１に共通する本体パッド１１と、各車両用シート１ごとに独自の形状に設定される部分パッド１２とを有する。部分パッド１２は、シートカバー２０の内側に取り付けられた収容部材３０に収容される構成であり、容易に形状を変更できる。すなわち、シートカバー２０を介して取り付けられるシートパッド１０の一部を構成する部分パッド１２を変更するだけで、シートパッド１０全体を変更しなくとも、異なる立体的形状（意匠）の車両用シート１が得られる。このように、部分パッド１２を変更するだけで車両用シート１の立体的形状を変更することができるため、金型コストの削減、パッド種類減少による管理コスト削減等のコストダウンにつながる。
【００２６】
また、本実施形態では、シートカバー２０の屈曲部分（シートパッド１０の後面上側）に沿って本体パッド１１と比べて高硬度である部分パッド１２を設けている。また、当該部分パッド１２が設けられた位置は、シートカバー２０の引き込み部分（溝部１１ａ）近傍でもある。つまり、シートカバー２０のテンションによる大きな負荷が掛かる部分に部分パッド１２を配置しているため、上記シートカバー２０のテンションによってシートパッド１０が型崩れしてしまうこと等が効果的に防止される。
【００２７】
また、本体パッド１１と部分パッド１２は別体であるため、部分パッド１２の硬度に拘わらず本体パッド１１は適当な硬度に成形できる。つまり、従来のようにシートパッドが分割されていない構成であれば、シートパッドの型崩れ等を防止することを優先すると（シートパッドの硬度を高くすると）車両用シートとしての乗り心地が低下し、車両用シートとしての優れた乗り心地を実現することを優先すると（シートパッドの硬度を低くすると）シートパッドの型崩れ等を招いてしまうおそれがあったのに対し、本実施形態によれば、型崩れを防止するために効果的な屈曲部分に沿って比較的硬い部分パッド１２を配置し、車両用シートとしての乗り心地に影響する部分に比較的柔らかい本体パッド１１を配置しため、「型崩れの防止」および「優れた乗り心地」という両方を発現する車両用シート１が得られる。
【００２８】
なお、シートパッド１０における部分パッド１２の位置は変更可能である。例えば、上記実施形態では、シートカバー２０のテンションによる大きな負荷が掛かる屈曲部分として、シートパッド１０の後面上側を例に挙げて説明したが、それ以外の屈曲部分に沿って部分パッド１２を配置した構成としてもよい。
【００２９】
また、シートに着座する者の特定の身体部位を効果的に支持したいのであれば、当該特定の部位を支持する箇所に、本体パッド１１よりも高硬度である部分パッド１２を配置してもよい。
【００３０】
また、上述した構成では、一つの車両用シート１（一つのシートパッド１０）に一つの部分パッド１２が用いられる構成であることを説明したが、一つの車両用シート１に二以上の部分パッド１２が用いられる構成（部分パッド１２が分割された構成）としてもよい。すなわち、複数の車両用シート１に共通する部分の少なくとも一部を構成する部分を本体パッド１１として設定し、それ以外の部分を部分パッド１２として設定した構成であれば、部分パッド１２が二以上であってもよい。
【００３１】
（変形例）
上記実施形態にかかる車両用シート１の変形例（変形例にかかる車両用シート２）について説明する。なお、以下の説明は、上記実施形態にかかる車両用シート１と異なる点を中心に説明し、同一の構成については説明を省略する。
【００３２】
本変形例にかかる車両用シート２は、本体パッド１１ではなく部分パッド１３に被接続部３０（例えばモールドインファスナ）が設けられている点で上記実施形態にかかる車両用シート１と異なる。具体的には、図６に示すように、部分パッド１３にシートカバー２０を引き込む溝部１３ａが形成され、この溝部１３ａの底面に被接続部３０であるモールドインファスナが設けられた構成である。
【００３３】
かかる構成によれば、比較的高硬度である部分パッド１３にシートカバー２０が接続されるため、シートカバー２０の位置ずれや、被接続部３０（溝部１３ａ）に引き込まれたシートカバー２０のテンションによるシートパッド１０の型崩れ等が防止される。また、かかる変形例においても、本体パッド１１と部分パッド１３は別体であるため、部分パッド１３の硬度に拘わらず本体パッド１１は適当な硬度に形成できる。つまり、上記効果を得るために部分パッド１３を高硬度としても、車両用シートとしての乗り心地の低下を招くことはない。
【００３４】
以上、本発明の実施形態について詳細に説明したが、本発明は上記実施形態に何ら限定されるものではなく、本発明の要旨を逸脱しない範囲で種々の改変が可能である。
【００３５】
例えば、上記実施形態は、車両用シート１（２）のシートバックに適用された構成であることを説明したが、車両用シート１（２）を構成するその他の部分（シートクッション（着座部）やヘッドレスト）に適用することも可能である。
【符号の説明】
【００３６】
１（２）      車両用シート
１０          シートパッド
１１          本体パッド
１２（１３）  部分パッド
２０          シートカバー
３０          被接続部
【図１】
2012187254.tif 000003
【図２】
2012187254.tif 000004
【図３】
2012187254.tif 000005
【図４】
2012187254.tif 000006
【図５】
2012187254.tif 000007
【図６】
2012187254.tif 000008
【図７】
2012187254.tif 000009